(57)【要約】【課題】  汚染水や汚染土から重金属、放射性物質、懸濁物質を吸着・分解したり、海藻類の生育促進を行う環境改善材を提供する。【解決手段】  フェリハイドライトを担持体に含有させてなる環境改善材。【選択図】なし【特許請求の範囲】
【請求項１】
フェリハイドライトを担持体に含有させたことを特徴とする、環境改善材。 
【請求項２】
汚染物体の表面および／または内部に請求項１に記載の環境改善材を配設し、汚染物質を除去する作業を行うことまたは汚染物質の流出・流入を防止することを特徴とする、汚染物質の除去処理方法。
【発明の詳細な説明】
【技術分野】
【０００１】
本発明は、汚染水や汚染土から重金属や放射性物質の吸着、ｐＨの高い排水中の懸濁物質の除去、硫化水素，メタンガス，アンモニア等の吸着、生物性廃棄物の分解促進、種々の消臭，脱臭，殺菌、ワカメ，ノリ等の海藻の生育促進、作物の連作障害防止、防塵等の種々の環境を改善するための環境改善材およびその使用方法に関する。
【背景技術】
【０００２】
従来、フェリハイドライトについては、例えば２―ｌｉｎｅおよび６―ｌｉｎｅフェリハイドライトに対する各種吸着挙動の比較の研究が報告されている（非特許文献１）。また汚染土壌近くの土壌の上に、フェリハイドライト腐植複合体を載置する腐植複合体最下層配置工程と、前記腐植複合体最下層の上に、前記汚染土壌と、前記フェリハイドライト腐植複合体とを交互に載置して腐植・土壌積層体を形成する腐植・土壌積層工程と、前記腐植・土壌積層体を撹拌して腐植・土壌混合物を得る腐植・土壌撹拌工程と、を行うことを特徴とする汚染土壌の浄化方法（特許文献１）。さらに非晶質で常磁性体である針鉄鉱の酸抽出液を、水酸化ナトリウムによって中和して得られることを特徴とするフェリハイドライト（特許文献２）等が知られている。
なお、放射性物質に汚染された土壌や河川等には、何の対策もなされていないのが現状である。
【先行技術文献】
【非特許文献】
【０００３】
【非特許文献１】日本原子力学会春の年会予稿集第２０１１巻
【特許文献】
【０００４】
【特許文献１】特願２００１―９４１６９
【特許文献２】特開２００４―３４５９１１
【発明の概要】
【発明が解決しようとする課題】
【０００５】
本発明は、フェリハイドライトを用いて種々の環境の改善を用うために汎用性のある資材について鋭意研究した結果本発明を完成するに至った。
【課題を解決するための手段】
【０００６】
すなわち、本発明は、フェリハイドライトを担持体に含有させてなる環境改善材およびその使用方法である。
【発明の効果】
【０００７】
本発明の環境改善材を用いることによって、汚染水や汚染土から重金属や放射性物質を吸着除去したり、ｐＨの高い排水中の懸濁物質を除去、硫化水素，メタンガス，アンモニア等の吸着除去、生物性廃棄物の分解促進、各種の消臭，脱臭，殺菌，ワカメ，ノリ等の海藻類の生育促進、作物の連作障害防止等の種々の環境の改善を行うことができる。
【発明を実施するための形態】
【０００８】
本発明のフェリハイドライトを含有させる担持体としては、ネット、不織布、スポンジ等が揚げられる。そしてネットは合成繊維または天然繊維のいずれも使用することができる。これらの担持体を構成する場合撚糸を用いて調製したものが好ましい。すなわち、これらの撚糸を用いることによって糸の表面と、糸の間隙にもフェリハイドライトが介在するので撚糸の単位重量当りのフェリハイドライトの含有量を高めることができる。
【０００９】
本発明の担持体に含有させる物としては、フェリハイドライトを単独に用いる他に、触媒効果のあるキレート鉄、ゼオライト、バーミキュライト、活性炭、イオン交換樹脂等を１種類或いは複数種類をフェリハイドライトと混合して使用することが出来る。
【００１０】
本発明において、フェリハイドライトを担持体に含有させる手段としては、担持体の表面に付着させたり、担持体内に含浸させる方法により達成することができる。
【００１１】
本発明の環境改善材に用いられるフェリハイドライトは、公知の方法で調製することができる。例えば玄武岩あるいは安山岩を含む堆積岩土壌に酸溶液を加えて抽出したり、アルカリ溶液で抽出することによって調整することができる。そして使用に際してはこれらの抽出液を水等で希釈して用いたり、また中和処理を行った後使用することができる。さらに針鉄鉱を含む堆積岩土壌に酸溶液を加えて抽出した後嫌気性条件下で中和処理することによっても得ることができる。
【００１２】
前記酸溶液を調製する酸としては、硫酸、塩酸、硝酸、リン酸等の無機酸あるいは、ぎ酸、酢酸、アスコルビン酸、クエン酸等の有機酸を用いることができる。またアルカリ溶液を調製するアルカリとしては、水酸化ナトリウム、炭酸ナトリウム、重炭酸ナトリウム、水酸化カリウム、炭酸カリウム、各種脂肪族または芳香族、アミン類が揚げられる。
【００１３】
本発明の環境改善材は、汚染水中に吊下したり、汚染土の表面を覆ったり、また汚染土中に展張することによって有害物質を吸着したり分解することができる。また海藻養殖場に設けることによって海藻の生育を促進させることができ、さらに畑等に展張して用いれば作物の連作障害の防止を行うことができる。
放射線汚染を含む除染対策をする場合は、流体（水・空気）中の自然環境や住環境などの広範囲に亘って改善を行う必要がある。自然現象の風雨で拡散する影響を配慮しなければならない。また作業者はもとより、汚染物体〔汚染土壌、汚染水（放射線物質・重金属を含む）、汚染建屋、山、森林等〕の作業周辺の粉塵飛散や降雨による放射線物質等の流出を極力防止して、作業を行う必要がある。更に汚染された瓦礫の臭気や山麓・河口などに降雨で汚染物質が運ばれるので水域での処理の必要性があり、これらの処理に環境改善材を用いる事が出来る。
すなわちネット・メッシュ状などの環境改善材は風雨時に煽られる事無く設置することが出来る上、特に網状態の場合は網目が小区画に成った構造の為、流体（水・空気）を小区画毎に処理する事が出来き、流体中の有害物質を付着・吸着することが出来る。
また環境改善材に汚染物質（放射線物質・重金属等）を吸着させて、廃棄するには作業時に飛散防止と降雨時の流出させない処置を講じる事が出来る。
本発明は、工事区域全域及び汚染区域全域に有害物質を付着・吸着する効果のある環境改善材を分割して配設して、汚染物質の飛散・流出防止を行い作業前の作業環境を整え、作業時には作業区域のみを環境改善材を取り外して作業し、作業終了後は汚染物質を取り除いた区域に環境改善材を再度配設することによって、他から風雨等によって流入する汚染物質を環境改善材に付着・吸着させる事によって汚染物質の流入を防止することにより安全区域が保持できる。
なお本発明における「環境改善」とは汚染水や汚染土からの重金属や放射性物質の除去、排水中の懸濁物質の除去、各種気体物質の吸着、生物性廃棄物の分解促進、作物の連作障害防止、消臭、脱臭、殺菌作用、魚介類，海藻類の生育促進を云うものである。
【００１４】
本発明の環境改善材を汚染土の表面に覆う方法としては、汚染土の表面に直接覆うことにより土の表面の環境改善を行い、汚染土の表面から間隔を設けて覆うことにより外から飛散または流れ込む汚染物質を環境改善材に吸着、分解することができる。
汚染土の表面から間隔を設けてる方法としては、杭に固定する事により汚染土と環境改善材との間隔を設けたり、汚染土の上にタイヤ、木材、瓦礫等を置き、その上に環境改善材で覆うことで、汚染土の表面との間隔を設ける事が出来る。
【００１５】
また、本発明の環境改善材を放射性物質の吸着に用いる方法として、原子力建屋や背後地周辺などに設置、展張することによって、流体（水、空気）の汚染環境を改善することが出来る。
更に、除染作業員他の周辺に防塵対策や降雨時の放射性物質の流出防止対策或いは保全等に使用することが出来る。
【００１６】
次に本発明を実施例を揚げて説明するが、本発明は以下の実施例のみに限定されるものではない。
実施例１
天然繊維の撚糸を用いて調製されたネットを鉄０．８重量％を含有するフェリハイドライト水溶液に浸漬した後乾燥させて環境改善材を調製した。
実施例２
フェリハイドライト水溶液に透水性シートを浸漬した後乾燥させて環境改善材を調製した。
実施例３
フェリハイドライト水溶液にシート状スポンジを浸漬した後ウエットの状態の環境改善材を調製した。また他の態様として乾燥した後環境改善材とすることもできる。
実施例４
放射性物質で汚染されたグランド前面に本発明の環境改善材を実質的に隙間の無い様に多数枚を用いて敷設する。次に一部の環境改善材を剥がし、その部分の表土をブルトーザ等で削り取り、その後再度その場所に環境改善材を敷設する。この作業を繰り返し行い、グランド全体の表土の削り取りを行う。削り取った汚染土壌は、一か所に集め、その表面を環境改善材で覆うって保管する。